(57)【要約】【課題】高周波機械振動子の振動を効率よく増幅する。【解決手段】例えば振動子を梁構造とし、梁側面に空隙を介して電極を近接させ配置する。両者間に交流電圧を加えて静電力で振動子を励振する一方で、交流信号周波数と同一または２倍の周波数の信号を利用して振動子のばね性に変調を加え、パラメトリック共振の原理により振動を増幅する。励振力とばね性の変調の位相を最適にすることで効率よく振動子の振幅を増幅することができる。【選択図】図９
2007235937.tif 000002
【特許請求の範囲】
【請求項１】
機械的振動を行う振動子と、前記振動子に励振力を与える励振部と、前記振動子のばね性を変調する変調部とを有する共振器であり、前記振動子は、前記励振部からの励振力の付与によって振動し、前記変調部は前記励振力に対応して前記振動子を変調するように構成された共振器。
【請求項２】
請求項１に記載の共振器であって、
前記変調部は、前記励振部による励振力の周期に対応して、前記振動子のばね性を変調するようにした共振器。
【請求項３】
請求項２に記載の共振器であって、
前記振動子のばね性の変調周波数は、前記励振部による励振力の周波数と同一である共振器。
【請求項４】
請求項３に記載の共振器であって、
前記励振部は、周期的な励振力がｓｉｎωｔに比例する値をもつように前記振動子に励振力を与え、
前記変調部は、前記ばね性の増分がｃｏｓ（ωｔ＋φ）に比例するように、ばね性に変調を加えるように構成され、位相φが−２２．５°から１１２．５°の範囲もしくは１５７．５°から２９２．５°の範囲である共振器。
【請求項５】
請求項４に記載の共振器であって、
前記位相φが４５°近傍もしくは２２５°の近傍である共振器。
【請求項６】
請求項１に記載の共振器であって、
前記振動子のばね性の変調周波数は、前記励振部による励振力の周波数の２倍である共振器。
【請求項７】
請求項６に記載の共振器であって、
前記励振部は、周期的な励振力がｓｉｎωｔに比例する値をもつように前記振動子に励振力を与え、
前記変調部は、前記ばね性の増分がｃｏｓ（２ωｔ＋φ）に比例するように、ばね性に変調を加えるように構成され、位相φが−２２５°から４５°の範囲である共振器。
【請求項８】
請求項７に記載の共振器であって、
前記位相φが−９０°近傍である共振器。
【請求項９】
請求項６に記載の共振器であって、
前記励振部は、周期的な励振力がｓｉｎωｔに比例する値を持ち、ばね性を無変調としたときの共振角周波数がω０である場合に、
前記変調部は、前記ばね性の増分がｃｏｓ２ω（ｔ−Ｄ）に比例するように、ばね性に変調を加えるように構成され、遅延時間Ｄが２π／（２ω０）の０倍から０．６２５倍の
範囲、または０．８７５倍から１倍の範囲である共振器。
【請求項１０】
請求項９に記載の共振器であって、
前記遅延時間Ｄが２π／（２ω０）の０．２５倍近傍である共振器。
【請求項１１】
請求項１記載の共振器であって、
前記励振部は振動子に近接して位置する電極であり、前記振動子と前記電極との間の電圧変化を、前記振動子への励振力に変換するように構成された共振器。
【請求項１２】
請求項１に記載の共振器であって、
前記変調部は、前記振動子の温度を制御する温度制御部を備え、前記振動子の温度変化により、ばね性を変調するようにした共振器。
【請求項１３】
請求項１２に記載の共振器であって、
前記温度制御部は、光照射部からの光照射によって、前記振動子の温度変化を生ぜしめるように構成した共振器。
【請求項１４】
請求項１２に記載の共振器であって、
前記温度制御部は、前記振動子への電流供給量を制御する電流制御手段を備え、ジュール熱により、前記振動子の温度を制御するようにした共振器。
【請求項１５】
請求項１２に記載の共振器であって、
前記振動子は２箇所以上の固定部または支持部を有し、固定部または支持部近傍を振動の節とする共振器。
【請求項１６】
請求項１５に記載の共振器であって、
前記振動子は両持ち梁であることを特徴とする共振器。
【請求項１７】
請求項１３に記載の共振器であって、
前記光照射部は、光源と、ミラーとを具備し、前記光源からの光が前記振動子を通過し、ミラーで反射して、再び前記振動子に入射するように構成された共振器。
【請求項１８】
請求項１７に記載の共振器であって、
前記光照射部は、前記振動子の一端にレーザダイオード、他端にミラーを具備し、前記振動子の一端から、前記振動子の長手方向に沿って、前記振動子の他端にむけてレーザ光を照射し、光ポンピングを行うように構成された共振器。
【請求項１９】
請求項１８に記載の共振器であって、
前記振動子は、前記振動子の両端を除く周囲が、前記振動子よりも屈折率の低い領域で囲まれた共振器。
【請求項２０】
請求項１７に記載の共振器であって、
前記振動子は、両端にソース・ドレイン領域を形成するとともに、前記振動子の長手方向をチャネルとし、チャネルに対して所定の間隔を隔ててゲート電極が形成されており、前記ゲート電極が金属またはポリサイドメタルで構成され、反射面を構成した共振器。
【請求項２１】
請求項１乃至２０のいずれかに記載の共振器であって、
前記共振器は、少なくとも前記振動子が真空封止された共振器。
【請求項２２】
請求項１乃至２１のいずれかに記載の共振器を用いたフィルタ。
【発明の詳細な説明】
【技術分野】
【０００１】
本発明は、共振器およびこれを用いたフィルタに係り、特に高密度に集積化された電気回路内において、機械共振を用いて高性能の電気機械フィルタ回路を実現するものに関する。
【背景技術】
【０００２】
従来の機械共振器について図１５を参照して説明する。図１５は、たわみ振動を用いた機械振動フィルタ（非特許文献１参照）の構成を簡略化して示す図である。
このフィルタは、シリコン基板上に薄膜プロセスを用いてパターン形成を行うことで形成され、入力線路１０４と、出力線路１０５と、それぞれの線路に対して１ミクロン以下の空隙をもって配置された両持ち梁１０１、１０２と、その２つの梁を結合する結合梁１０３とで構成されている。そしてこの入力線路１０４に入力信号が入力される。入力線路１０４から入力された信号は、梁１０１と容量的に結合し、梁１０１に静電力を発生させる。信号の周波数が、梁１０１、１０２および結合梁１０３からなる弾性構造体の共振周波数近傍と一致したときのみ機械振動が励振され、この機械振動をさらに出力線路１０５と梁１０２との間の静電容量の変化として検出することで、入力信号のフィルタリング出力を取り出すようにしたものである。
【０００３】
矩形断面の両持ち梁の場合、弾性率Ｅ、密度ρ、厚みｈ、長さＬとすると、たわみ振動の共振周波数ｆは、次式となる。
【０００４】
【数１】
2007235937.tif 000003
【０００５】
材料をポリシリコンとするとＥ＝１６０ＧＰａ、ρ＝２．２×１０3ｋｇ／ｍ3、また寸法をＬ＝４０μｍ、ｈ＝１．５μｍとするとｆ＝８．２ＭＨｚとなり、約８ＭＨｚ帯のフィルタを構成することが可能である。コンデンサやコイルなどの受動回路で構成したフィルタに比べて機械共振を用いることでＱ値の高い急峻な周波数選択特性を得ることができる。
【０００６】
しかしながら、上記構成では、さらに高周波帯のフィルタを構成するには、以下のような制約がある。すなわち、（数１）から明らかなように、第１に材料を変更してＥ／ρを大きくすることが望ましいことがわかるが、Ｅを大きくすると梁をたわませる力が同じであっても梁の変位量は小さくなってしまい、梁の変位を検知することが難しくなる。また、梁の曲がり易さを表す指標を、両持ち梁の梁表面に静荷重を加えたときの梁中心部のたわみ量ｄと梁の長さＬの比ｄ／Ｌとすると、ｄ／Ｌは、次式の比例関係で表される。
【０００７】
【数２】
2007235937.tif 000004
【０００８】
これらから、ｄ／Ｌの値を保ちながら共振周波数を上げるには、少なくともＥは変更できず、密度ρの低い材料を求める必要があるが、ポリシリコンと同等のヤング率で密度が低い材料としてはＣＦＲＰ（Carbon Fiber Reinforced Plastics）等の複合材料を用いる必要がある。この場合、半導体プロセスで微小機械振動フィルタを構成することは難しくなる。
【０００９】
そこでこのような複合材料を用いない第２の方法として、（数１）において梁の寸法を変更してｈ・Ｌ−２を大きくする方法がある。しかし、梁の厚みｈを大きくすることと梁
の長さＬを小さくすることはたわみやすさの指標である（数２）のｄ／Ｌを小さくしてしまい、梁のたわみを検出することが困難となる。
【００１０】
（数１）および（数２）についてｌｏｇ（Ｌ）とｌｏｇ（ｈ）の関係を図１６に示すと、直線１９１は（数１）から求まる関係であり、直線１９２は（数２）から求まる関係である。この図１６において、現寸法Ａ点を起点に傾き「２」の直線より上の範囲（領域Ａ）のＬとｈを選ぶとｆは大きくなり、傾き「１」の直線より下の範囲（領域Ｂ）のＬとｈを選ぶとｄ／Ｌは大きくなる。従って、図中のハッチング部分（領域Ｃ）が梁のたわみ量も確保しつつ共振周波数を上げることができるＬとｈの範囲である。
【００１１】
図１６より明らかなことは、機械振動フィルタの高周波化には、梁の長さＬおよび梁の厚みｈ双方の寸法の微小化が必要条件であり、Ｌおよびｈを同じスケーリングで小型化すること、すなわち傾き「１」の直線に乗りながらＬとｈを小さくすることは、図１６のハッチング部分の十分条件である。このように、従来の機械共振器では機械振動子の寸法を小型化することで、共振周波数は高周波化される。
【００１２】
【非特許文献１】Frank D.Bannon III, John R.Clark, and Clark T.-C.Nguyen, "High-Q HF Microelectromechanical Filters," IEEE Journal of Solid-State Circuits, Vol. 35, No.4, pp.512-526, April 2000.
【発明の開示】
【発明が解決しようとする課題】
【００１３】
しかし、機械振動子の寸法の小型化を行うとｄとＬの相対比率を確保できても、ｄの絶対量は極めて小さくなる。これは、電極と振動子間の静電容量が微小となると同時に、振動に伴う静電容量の変化量も極めて微小となることを意味する。電極と振動子間の静電容量に並列に寄生する寄生容量が、機械振動子の寸法に依存せずにほぼ一定であり、かつその値は電極と振動子間容量より大であると、機械振動子を小型化することによって、共振点における振動子の電気的インピーダンス変化が小さくなってしまい、感度の低下を招き、フィルタとしての動作が不十分となるという課題を有していた。
【００１４】
そこで、非特許文献２や非特許文献３のように、パラメトリック共振を用いて振動子の振幅を強める方法が検討されている。すなわち振動子に外部から与えられる励振力以外に、振動子のばね性や質量等に変調を加えることで、共振点付近での振動を増幅する効果を付与することができる。図１５に示した従来例を用いて説明すると、共振器の両持ち梁１０１、１０２の振動が増幅されると、出力線路１０５には振動速度に比例した電流が流れるので、Ｓ／Ｎ比の良い出力信号を得ることができる。振動子が極微小化、すなわち高周波化されたときに、この効果の貢献は極めて大である。
【００１５】
非特許文献２や非特許文献３では、制御不能な発振状態の発生条件の解析や、振動スペクトルの非線形ジャンプなどが調べられているが、これら発振や非線形ジャンプなどの現象は共振器をフィルタに適用するには不適である。また、ばね性の変調と外部励振力の位相関係に最適値があるか否かという観点からの考察はなされていない。
【００１６】
本発明は、前記実情に鑑みてなされたもので、振動子のばね性に変調を加えるパラメトリック共振を利用し、かつ発振や非線形スペクトルなどのフィルタ動作として好ましくない状態での使用を避け、かつ外部励振力とばね性の変調の位相関係が効果的に振動振幅の増大をもたらすよう調整された共振器を具現化することを目的とする。
【００１７】
【非特許文献２】Mariateresa Napoli, Rajashree Baskaran, Kimberly Turner and Bassam Bamieh, "Understanding Mechanical Domain Parametric Resonance in Microcantilevers", Proc. of IEEE MEMS2003, pp.169-172, 2003.
【非特許文献３】Wenhua Zhang, Rajashree Baskaran and Kimberly L. Turner, "Changing the Behavior of Parametric Resonance in MEMS Oscillators by Tuning the Effective Cubic Stiffness", Proc. of IEEE MEMS2003, pp.173-175, 2003.
【課題を解決するための手段】
【００１８】
上記課題を解決するため、本発明の共振器は、機械的振動を行う振動子と、前記振動子に励振力を与える励振部と、前記振動子のばね性を変調する変調部とを有する共振器であり、前記振動子は、前記励振部からの励振力の付与によって振動し、前記変調部は前記励振力に対応して前記振動子を変調するように構成したことを特徴とする。
上記構成によれば、振動子に励振力が与えられない状態では振動子は振動せず、前記励振部からの励振力の付与によって振動し、前記変調部は、外部励振力とばね性の変調の位相関係が効果的に振動振幅の増大をもたらすように、前記励振力に対応して前記振動子を変調し、パラメトリック共振により、振幅の増大をはかることが可能となる。
なお、ここで変調とは、ある値を境に周期的にばね特性を変動させることをいう。
【００１９】
また、本発明の共振器は、上記共振器において、前記変調部が前記励振力の周期に対応して前記振動子のばね性を変調するように構成されたものを含む。
この構成により、パラメトリック共振により、効率よく振幅の増大を図ることが可能となる。さらにまた、励振力の位相に応じて振動子のばね性を調整するようにしてもよい。励振力の周期に対応して、最適の位相において振動子のばね性を付与することにより、振幅の増大を図り、高感度化を実現することが可能となる。
【００２０】
また、本発明の共振器は、前記振動子のばね性の変調周波数が、前記励振部による励振力の周波数と同一であることを含む。
この構成によれば、簡単な構成で振動子のばね性を変調することができる。
【００２１】
また、本発明の共振器は、励振部による周期的な励振力がｓｉｎωｔに比例する値で与えられ、またばね性の増分がｃｏｓ（ωｔ＋φ）に比例するように変調部がばね性に変調を加えるとき、位相φが−２２．５°から１１２．５°の範囲もしくは１５７．５°から２９２．５°の範囲であるものを含む。
この構成によれば、実験結果から、上記構成により、効率よく振動を増幅することができることがわかった。
【００２２】
また、本発明の共振器は、位相φが４５°近傍もしくは２２５°の近傍であるものを含む。
この構成によれば、振動を最大限に増幅することができる。
【００２３】
また、本発明の共振器は、前記振動子のばね性の変調周波数が、前記励振部による励振力の周波数の２倍であるものを含む。
この構成によれば、ばね性を無変調としたときの共振周波数近傍で共振を得ることができる。
【００２４】
また、本発明の共振器は、励振部による周期的な励振力がｓｉｎωｔに比例する値で与えられ、またばね性の増分がｃｏｓ（２ωｔ＋φ）に比例するように変調部がばね性に変調を加えるとき、位相φが−２２５°から４５°の範囲であるものを含む。
この構成によれば、実験結果から、上記構成により、効率よく振動を増幅することができる。
【００２５】
また、本発明の共振器は、位相φが−９０°近傍であるものを含む。
この構成によれば、振動を最大限に増幅することができる。
【００２６】
また、本発明の共振器は、励振部による周期的な励振力ｓｉｎωｔに比例する値で与えられ、またばね性を無変調としたときの共振角周波数がω０であり、またばね性の増分が遅延時間Ｄを有するｃｏｓ２ω（ｔ−Ｄ）に比例するように変調部がばね性に変調を加えるとき、遅延時間Ｄが２π／（２ω０）の０倍から０．６２５倍の範囲、または０．８７５倍から１倍の範囲であるものを含む。
この構成によっても、ばね性を無変調としたときの共振周波数近傍で共振を得ることができる。
【００２７】
また、本発明の共振器は、遅延時間Ｄが２π／（２ω０）の０．２５倍近傍であるものを含む。
この構成によれば、振動を最大限に増幅することができる。
【００２８】
また、本発明の共振器は、前記励振部は振動子に近接して位置する電極であり、前記振動子と前記電極との間の電圧変化を、前記振動子への励振力に変換するものを含む。
この構成によれば、共振器およびフィルタを半導体プロセスと親和性のよい加工方法で実現できる。
【００２９】
また、本発明の共振器は、前記変調部は、前記振動子の温度を制御する温度制御部を備え、前記振動子の温度変化によりばね性を変調するものを含む。
この構成によれば、非接触で振動子のばね性に変調をかけることができる。
【００３０】
また、本発明の共振器は、前記温度制御部が、光照射によって振動子の温度変化を生ぜしめるように構成されたものを含む。
この構成によれば、変調部と共振器のアイソレーションをとることができ、共振器の雑音が低減される。また、振動子材料は光の波長により光の吸収度合いが異なるので、光の波長を選択することによってばね性の変調度合いを調整することができる。
【００３１】
また本発明の共振器は、前記光照射部が、光源と、ミラーとを具備し、前記光源からの光が前記振動子を通過し、ミラーで反射して、再び前記振動子に入射するように構成されたものを含む。
この構成によれば、振動子内部の温度分布むらを低減し、振動子全体の温度変調を行うことが出来るため、温度分布むらによる不要な振動が発生することなく、振動子のばね性に変調をかけることが出来る。したがって効率よく振動子に光照射を行うことができる。また、所望のタイミングにおける光照射によるエネルギー(主として熱エネルギー)によって応力を変調することによるばね性の変調を行うことができる。なお、光のオン・オフ、波長、強度などを制御することにより、ばね性の変調を行うようにしているため、スイッチング性もきわめて良好であり、変調タイミングの制御性も良好である。
【００３２】
また本発明の共振器は、前記光照射部が、前記振動子の一端にレーザダイオード、他端にミラーを具備し、前記振動子の一端から、前記振動子の長手方向に沿って、前記振動子の他端にむけてレーザ光を照射し、光ポンピングを行うように構成されたものを含む。
この構成によれば、レーザ光の照射により、ばね性の変調を行うようにしているため、より、制御性よく、ばね性の変調を行うことができ、高効率のパラメトリック共振器を提供することができる。
【００３３】
また本発明の共振器は、前記振動子が、前記振動子の両端を除く周囲を、前記振動子よりも屈折率の低い領域で囲まれてなるものを含む。
この構成によれば、振動子への光の閉じ込めが可能となり、より高効率の光変調をおこなうことができる。
【００３４】
また本発明の共振器は、前記振動子が、両端にソース・ドレイン領域を形成するとともに、前記振動子の長手方向をチャネルとし、チャネルに対して所定の間隔を隔ててゲート電極が形成されており、前記ゲート電極が金属またはポリサイドメタルで構成され、反射面を構成したものを含む。
この構成によれば、ゲート電極を反射性材料である金属またはポリサイドメタルで構成することにより、振動子の裏面側すなわちゲート電極の対向面側からレーザ光などの光照射を行うことにより、振動子の長手方向全体にわたって均一に制御性よく光変調を行うことが可能となる。
【００３５】
また、本発明の共振器は、前記温度制御部は、前記振動子への電流供給量を制御する電流制御手段を備え、ジュール熱により、前記振動子の温度を制御するようにしたものを含む。
この構成によれば、振動子の温度は振動子を流れる電流によるジュール熱の変化によって制御されるため、簡易な構成で高効率のパラメトリック共振器を構成することができる。
【００３６】
また、本発明の共振器は、振動子は２箇所以上の固定部または支持部を有し、固定部または支持部近傍を振動の節とするものを含む。
この構成によれば、固定部または支持部間の振動子内部に応力を貯めることができ、変調部はこの応力を変調することでばね性の変調を行うことができる。
【００３７】
また本発明の共振器は、振動子は両持ち梁であるものを含む。
この構成によれば、単純な構造で共振器を構成することができる。
【００３８】
また本発明の共振器は、少なくとも前記振動子が真空封止されたものを含む。
この構成によれば、雰囲気を真空に封止したケース内に収納されており、周囲気体の粘性が振動子の振動を阻害する効果を低減することができる。
【００３９】
また、本発明の電気機械フィルタは、上記共振器を用いて形成される。
【発明の効果】
【００４０】
本発明の共振器の構成によれば、外部励振力による振動子の振動をさらに増幅するため、高感度で、機械的な共振を電気的に検出することができ、数百ＭＨｚ〜数ＧＨｚ帯で使用する微細な振動子を用いても、フィルタ機能を提供することができる。
【発明を実施するための最良の形態】
【００４１】
以下、本発明の実施の形態について、図面を参照しつつ詳細に説明する。
（実施の形態１）
図１（ａ）は、本発明の実施の形態１における共振器の斜視図である。本実施の形態１の共振器はねじり共振器であり、ねじり振動を行う梁型振動子１と、梁型振動子１の側面に空隙を介して近接して配置された電極２とを有するもので、電極２と梁型振動子１との断面形状で、図３に示すように、半導体レーザによる光照射により、励振力の周期に対応して梁型振動子１のばね性を変調するように構成し、パラメトリック共振により、効率よく振幅の増大を実現するものである。
【００４２】
ここで、梁型振動子１は両端を固定された両持ち梁である。梁型振動子１の材料は単結晶シリコンであり、厚みｔｂが２００ｎｍ、長さＬが１．４μｍで等価質量１×１０−１７ｋｇ、等価ばね定数１ｋＮ／ｍ、ねじり振動基本モード約１．６ＧＨｚを有する。
図１（ａ）の梁型振動子１と電極２とのＡ−Ａ’断面を図１（ｂ）に示す。梁型振動子１の断面形状は２等辺三角形であり、幅Ｗは２８４ｎｍ、底辺の両端角は５４．７°である。梁型振動子１と電極２との間には空隙ｇ＝１０ｎｍが設けられており、静電容量Ｃを形成している。ここでは電極２の底面は梁型振動子１の底面と同じ高さの位置として、厚さｔｅ＝０．１２μｍに設定した。この共振器は、静電力を励振力とした共振器であり、電極２が励振部として機能する。
【００４３】
この共振器を用いた帯域通過型フィルタについて、図２を用いて説明する。説明の便宜上、図２では図１（ａ）の電極２を、梁型振動子１を挟んで対称の位置にさらに設けて、電圧→機械振動→電流への変換を振動子１個と電極２個で行う構成としている。
ここで電極２ａと梁型振動子１との間に、ＤＣ電圧Ｖｐと入力交流電圧ｖとを重畳させて印加すると、交流信号ｖの周波数を有して梁型振動子に印加される静電力Ｆは、
Ｆ＝ｖ・Ｖｐ・ΔＣ／Δｘ
となる。ここでＣは電極２ａと梁型振動子１との間の静電容量、ｘは梁型振動子１のねじり振動に伴う変位量である。
【００４４】
また、図２において、ねじり振動を行っている梁型振動子により出力電極２ｂに発生する交流電流ｉは、
ｉ＝Ｖｐ・（ｄｘ／ｄｔ）・ΔＣ／Δｘ
となる。交流電流ｉは振動速度ｄｘ／ｄｔに比例することから、ねじり振動の共振周波数１．６ＧＨｚで振動速度ｄｘ／ｄｔは最大となり、このとき最大の出力信号を得ることができるため、本共振器は共振周波数を中心周波数とした帯域通過型フィルタとして機能する。
【００４５】
ここで、パラメトリック共振を利用して、振動の振幅を増大する効果を付与した共振器の構成例を図３に示す。図３（ａ）は電極２と振動子１との間の容量と直列に変調部４を設けている。電極２と振動子１との間に流れる交流電流は、電圧より位相が９０°進む。すなわち電圧がｓｉｎ波ならば電流はｃｏｓ波となる。また電圧と静電力とはほぼ同相である。電流を負荷で検出して、その増幅、移相を行い半導体レーザの強度を変調する。レーザ光強度の変調周波数は、交流信号源の角周波数ωと同一となる。振動子１は梁の長さ方向に引張応力を有しており、レーザ光の照射を受けると、レーザ光の明滅の“明”のときに温度が上昇して引張応力が緩和され、“滅”のときに温度が低下して引張応力が増加する。従って振動子１のばね性は引張応力に同期した変調を受ける。
【００４６】
このとき、振動子の運動方程式は（数３）であらわされる。ｍを振動子の等価質量、ｋを無変調時の振動子の等価ばね定数としたとき、無変調時の共振角周波数はω０＝（ｋ／
ｍ）１／２である。Ｑは振動子のＱ値、ｘは振動子の変位、Ｆｓｉｎωｔは外力、すなわ
ちこの場合、角周波数ωの交流信号による静電力をあらわしている。変調を受けたばね定数は、無変調時のばね定数ｋ＝ｍω０２からの増分であるｍω０２εｃｏｓ（ωｔ＋φ）
とあらわされる。ここでεは変調の深さをあらわす。
【数３】
2007235937.tif 000005
【００４７】
図１のねじり共振器において、Ｆ＝１０−９Ｎ、ε＝０．０３５、Ｑ＝２０００としたときの振動子の速度スペクトルを図４（ｂ）に示す。“Ｌｉｎｅａｒ”で示された無変調時のスペクトルは、周波数１．５９１５５ＧＨｚでＰ：ピーク値２０ｍ／ｓとなる。ばね性に変調を加え、その位相φを変化させたときのスペクトルを測定し、縦軸を振動速度の最大値（振幅）、横軸を位相φとした関係曲線を図４（ａ）に示した。φ＝１３５°および３１５°（＝−４５°）のときは、“Ｌｉｎｅａｒ”に比べて速度が低下するが、−２２．５°（＝３３７．５°）から１１２．５°の範囲、もしくは１５７．５°から２９２．５°の範囲においては、速度は増加する。振動速度の増加は振動振幅の増加を意味する。
従って、この範囲の位相φとなるように、図３（ａ）の変調部４内の移相器の移相量を調整することで、パラメトリック共振の効果を得ることができる。また変調の深さεを適度に決定することにより、図４（ｂ）のスペクトルに非線形はなく、スペクトルのジャンプ現象のようなフィルタには不適な現象は発生しない。また外部励振力Ｆがゼロのときには振動もゼロとなる。すなわち制御不能な発振状態には陥らない。
【００４８】
位相φを４５°、もしくは２２５°の近傍にすることで、１．５９１３９ＧＨｚに共振ピークを有し、このときφの設定のみで実現可能な最大のピーク値を得ることができる。その値は約５０ｍ／ｓであり、無変調時のピーク２０ｍ／ｓの値の２．５倍の値を得ることができる。図４（ｂ）及び(ｃ)は励振力の周波数に対する振動速度及びその位相関係を示している。通常のばね−質量系では、励振力に対して振動速度の位相は共振点で０となるのが、パラメトリック励振を用いると、図４（ｂ）のピーク周波数と図４（ｃ）の縦軸０とのゼロ交点周波数は概して一致しない。ただし、位相φを４５°、もしくは２２５°の近傍にしたときは、図４（ａ）のピーク周波数１．５９１３９ＧＨｚと図４（ｃ）のゼロ交点周波数が一致する。すなわち見かけ上パラメトリック励振を用いていない無変調の共振器と同等と扱うことができる。図４（ｂ）は縦軸を速度、図４(ｃ)では縦軸を位相としている。
【００４９】
位相φを４５°または２２５°とし、入力交流信号の周波数が１．５９１３９ＧＨｚのとき、すなわち共振時の、励振力と振動による振動子の位置とばね性の増分との関係を図５に示す。φ＝４５°のとき、振動子の位置が原点から遠ざかろうとするＡ点において、ばね性が最も弱まり、振動子は慣性により大きな振幅を得る。φ＝２２５°についても同様に、振動子の位置が原点から遠ざかろうとするＢ点においてばね性が最も弱まり、慣性により大きな振幅を得る。
【００５０】
ただし、φ＝４５°では原点から遠ざかろうとするＡ点でばね性が弱まるが、同じく原点から遠ざかろうとするＢ点ではばね性は逆に強まるため、Ｂ点では慣性による振幅増大化の効果はない。同様にφ＝２２５°でもＡ点において慣性による振幅増大化の効果はない。
【００５１】
本実施の形態では、ばね性の変調を光で行っているため、振動子に対して非接触であり、接触式の場合に容易に想定される振動モードの阻害が起こらない。またばね性の変調を光で行っているため、変調部の電気的なノイズが振動子に直接干渉する量を低減することができる。
【００５２】
なお、本実施の形態は以下に示す実施の形態２とは異なり、励振力の周波数とばね性の変調の周波数が同一であるため、簡易な構成で共振器を構成することができる。
【００５３】
また、変調部４は図３（ｂ）のように、振動子１と電極２との間の容量と並列に設けても良い。
【００５４】
また、変調の深さεは、振動子１の材料と変調部４から放射される光の波長との組み合わせによっても調整することができる。例えば赤外光をシリコン振動子に照射すると、光のエネルギの多くが振動子を透過する。変調の深さεを大きくするには、より波長の短い青色や紫外の光源を使い、光のエネルギをより多くシリコン振動子内部に吸収させればよい。吸収されたエネルギは熱に変換され、振動子のばね性をより効率よく緩和させることができる。すなわち、照射する光の波長を変化させることによって有効に変調を行うことができる。あるいは位相を調整することによっても調整可能である。
【００５５】
なお、実施の形態１において図３に示した変調においては、光源に半導体レーザを用いたが、より安価な発光ダイオードを用いてもよい。
【００５６】
次に本発明の実施の形態１の変形例として、半導体レーザを用いて、光によるばね性変調を効率的に行うための例を図６（ａ）および（ｂ）に示す。この例では共振器は、光照射部が、光源としてのレーザダイオード２００と、ミラー２０２とを具備し、レーザダイオード２００からの光が振動子１を通過し、ミラー２０２で反射して、再び振動子１に入射するように構成されている。図６（ａ）は、変調機能を備えた共振器を、振動子の縦断面がでるように切断した断面から見た斜視図、図６（ｂ）は、同共振器の横断面図を示す図である。振動子１は、シリコンの異方性エッチングで形成された両持ち梁であり、その上部にギャップを介して電極２を形成している。そして振動子１の両端はソース領域及びドレイン領域１１Ｓ，１１Ｄを構成するとともに、この電極２は、振動子１に対して空気層（ギャップ）を隔てて形成され、ゲート電極２Ｇを構成し、ＭＯＳトランジスタ構造を形成している。なおこのゲート電極２Ｇは多結晶シリコンで構成される。またソース領域及びドレイン領域１１Ｓ，１１Ｄ上には、多結晶シリコンで構成されたソース電極及びドレイン電極１２Ｓ，１２Ｄが形成されている。
そして図６（ｂ）に示すように、ソース領域１１Ｓ側には交流電源２０１で駆動されるレーザダイオード２００が配設され、ドレイン領域１１Ｄ側にはミラー２０２が配設されて、レーザ光による変調を行うように構成されている。
この構成においては、レーザダイオード２００の出射端面から導出されたレーザビームは振動子内部を軸方向に伝播する。ビームの強度変調はレーザダイオードの注入電流の変調によって行われる。ビームの強度は振動子内部で減衰し、一部は振動子１内で熱に変換される。振動子１を通過したビームは再びミラー２０２で反射され、振動子１内を逆に伝播し、多重反射を繰り返す。この反射の効果により、振動子１内部は軸長方向に温度むらが少なく、振動子１全体が一様に温度制御されるという効果を得る。
ここで、ミラー２０２がない構造にすると、振動子内ではレーザダイオード配置側すなわちソース領域１１Ｓ側の方が温度が高くなり、長さ方向に温度むらが生じ、振動子の軸応力の変調を行う効果が少なくなる。また、光のエネルギが、振動子の軸方向に伝播する粗密波などの不要な振動エネルギとなって消費されてしまう。
上記構成によれば、上記レーザダイオードから出力される光のビーム径が、振動子の長さに比べて小さい場合でも、振動子全体にわたって均一な温度制御を行うことができる。
以上説明したように、上記構成によれば、振動子内部の温度分布むらを低減し、振動子全体の温度変調を行うことが出来るため、温度分布むらによる不要な振動が発生することなく、振動子のばね性に変調をかけることが出来る。したがって効率よく振動子に光照射を行うことができる。また、所望のタイミングにおける光照射によるエネルギー(主として熱エネルギー)によって応力を変調することによるばね性の変調を行うことができる。なお、光のオン・オフ、波長、強度などを制御することにより、ばね性の変調を行うようにしているため、スイッチング性もきわめて良好であり、変調タイミングの制御性も良好である。
【００５７】
このように、上記共振器は、光照射部が、振動子の一端にレーザダイオード、他端にミラーを具備し、振動子の一端から、振動子の長手方向に沿って、振動子の他端にむけてレーザ光を照射し、光ポンピングを行うように構成されたものであり、レーザ光の照射により、ばね性の変調を行うようにしているため、より、制御性よく、ばね性の変調を行うことができ、高効率のパラメトリック共振器を提供することができる。
【００５８】
なお、この振動子１の両端を除く周囲を、振動子よりも屈折率の低い領域（誘電体膜など）で囲むようにしてもよく、この構成によれば、振動子への光の閉じ込めが可能となり、より高効率の光変調をおこなうことができる。また、空気層によっても光閉じ込め効果はある。
【００５９】
次に本発明の実施の形態１の他の変形例として、図７に示すように、図６に示したＭＯＳＦＥＴ構造を構成する振動子のゲート電極２Ｇをポリメタル構造とし、多結晶シリコン２Ｐ上にタングステンなどの金属膜２Ｍが配設され反射面を構成し、面発光レーザダイオード２０３から出射されたレーザビームを振動子１の側面つまりゲート電極２Ｇに対向する面側から照射し、ゲート電極を構成する金属膜２Ｍによって反射され振動子内を逆に伝播するようにしたものである。
この構造においても、振動子１は、両端にソース・ドレイン領域１１Ｓ，１１Ｄを形成するとともに、振動子１の長手方向をチャネルとし、チャネルに対して所定の間隔を隔ててゲート電極２Ｇが形成されており、多結晶シリコン２Ｐと金属膜２Ｍとの２層構造からなる反射面を構成する。
【００６０】
この構成によれば、ビームの強度は振動子内部で減衰し、一部は振動子内で熱に変換される。振動子を通過したビームはゲート電極２Ｇを構成する金属膜２Ｍで反射され振動子内を逆に伝播する。
この反射効果により、振動子内部は厚み方向に温度むらが少なく、振動子全体が一様に温度変調されるという効果を奏功する。ミラーとなるこの金属膜２Ｍを省くと振動子内では厚み方向に温度むらが生じ、振動子全体が一様に温度変調されない。また、光のエネルギが、振動子の温度むらにより生じるたわみ振動などの不要な振動エネルギとなって費やされてしまう。図７に示した例では、光のビーム径が振動子の長さと同等もしくはそれ以上の寸法であるときに振動子全体の温度制御を行うことができる。
【００６１】
以上説明したように、振動子の裏面側すなわちゲート電極の対向面側からレーザ光などの光照射を行い、振動子を通過したビームがゲート電極を構成する金属膜２Ｍで反射されることにより、振動子の長手方向全体にわたって均一に制御性よく光変調を行うことが可能となる。
【００６２】
次に本発明の実施の形態１におけるねじり共振器の製造方法について図８を用いて説明する。この図は図１（ａ）のＡ−Ａ’断面に相当する面を示している。シリコン基板３０の表面に酸化シリコン膜からなる酸化膜３１を介して、デバイス形成層としての所望のキャリア濃度の単結晶シリコン層３２を貼着したＳＯＩ（Ｓｉｌｉｃｏｎ  ｏｎ  Ｉｎｓｕｌａｔｏｒ）基板を用いる。梁構造の作製に際しては、ＳＯＩ基板の上部の単結晶シリコン層３２に、結晶方位を利用した異方性エッチングによって所望の形状を実現している（非特許文献４）。
【００６３】
まず、ＳＯＩ基板上に窒化シリコン膜３３を形成して、窒化シリコン膜３３をパターニングする（図８（ａ））。パターニングに際しては、このパターンのエッジがシリコン層３２の｛１１０}に沿うように形成する。
次にＫＯＨを用いてシリコン層３２の異方性エッチングを行う。ＫＯＨを用いたシリコンの異方性エッチング工程においては、｛１１１｝面のエッチング速度は他の面よりも極めて遅いため、結果として図８（ｂ）に示すように｛１１１｝面が露出するようにエッチングが進行する。｛１００｝と｛１１１｝とは、５４．７°の位置関係となる。
【００６４】
そして上面をこの窒化シリコン膜３３で覆われた状態で酸化を行い、この｛１１１｝面を局所的に酸化シリコン膜３５で保護し、マスクとした窒化シリコン膜３３を再度パターニングする。
そして、再びＫＯＨを用いてシリコン層３２の異方性エッチングを行うことで、図８（ｃ）に示すように、三角形断面のシリコン梁構造体を得ることができる。
【００６５】
次に、ＣＨＦ３ガスを用いたＲＩＥ（反応性イオンエッチング）を用いて、ＳｉＯ２を加工する。このとき三角形断面のシリコン梁はマスクとなって、梁の下のＳｉＯ２はエッチングされずに残る。
【００６６】
次に、最終的に梁と電極間のギャップとなる犠牲層３６としてのＳｉＯ２をＣＶＤ法などによって成膜するか、又は三角形断面梁表面を熱酸化あるいは低温プラズマによるラジカル酸化などによって酸化させて形成する。図８（ｅ）では、後者にならって酸化炉でシリコン表面を熱酸化させた状態を示している。このとき、シリコン基板３０表面にも酸化シリコン膜３６Ｓが形成されるが、わずかに、酸化シリコン層３１の下方にも食い込むように形成される。
【００６７】
続いて、電極となるポリシリコン層３７を、ＣＶＤ（化学気相成長法）で堆積し（図８（ｆ））、ＣＦ４ガスを用いたＲＩＥによりエッチバックを行い、図８（ｇ）のように表
面を犠牲層３６で覆われた三角形断面梁を構成する単結晶シリコン層３２の頂部を露呈させるとともに電極の厚みｔｅを調整する。
【００６８】
最後に、フッ酸を用いて梁と電極間に存在する犠牲層３６としてのＳｉＯ２および梁底
面の酸化シリコン膜（ＳｉＯ２）３１を除去し、梁を可動な状態とする。酸化シリコン膜
３６Ｓは、わずかに三角形断面梁を構成する単結晶シリコン層３２の下方の酸化シリコ層３１下に食い込むように形成されているため、このエッチング工程で、この食い込んだ部分が結果的にエッチング除去されることになり、シリコン基板３０と電極２ａ、２ｂとの短絡を防止している。
【００６９】
なお、振動子１の底面より下部にも電極２が存在するが、振動子１と電極２間の実質上の容量を形成するのは、電極２の厚みｔｅ内の部分である。振動子１の底面より下部に位置する電極２の部分が生成されないようにするには、図８（ｄ）の工程を省いて、電極２をＳｉＯ２層３１の上に形成すればよいが、図８（ｈ）の工程でフッ酸によりＳｉＯ２層３１を除去すると、電極２の下も除去されて図中のアンダーエッチング量が著しく増し、電極も可撓性を有することになる。このとき振動子１と電極２との間の静電力で両者が固着することがあるので、工程（ｄ）の省略は静電力が極めて小さい場合にのみ有効である。
【００７０】
なお、異方性エッチングにはＫＯＨのかわりにＴＭＡＨ（Ｔｅｔｒａｍｅｔｈｙｌ  Ａｍｍｏｎｉｕｍ  Ｈｙｄｒｏｘｉｄｅ）を用いてもよい。
【００７１】
【非特許文献４】G. Hashiguchi and H. Mimura, “Fabrication of Silicon Quantum Wires Using Separation by Implanted Oxygen Wafer”, Jpn. J. Appl. Phys. Vol. 33(1994), pp. L1649-1650.
【００７２】
この、図８のプロセスは、半導体プロセスにおけるパターニング幅の限界を越えた細さの構造物を形成できるので、数百ＭＨｚ〜数ＧＨｚの微細な共振器を作製するのに有用なプロセスである。
【００７３】
また、梁と振動子との間の酸化膜を最終的に除去して、コンデンサを形成することができるので、静電力を励振力とした共振器を提供することができる。
【００７４】
また、梁側面はシリコンの結晶面で構成されているので、極めて表面性状が滑らかであり、振動に伴う表面損失が低減され、Ｑ値の高い振動子とすることができる。
【００７５】
なお、本発明の実施の形態における共振器を真空封止することで、振動子の振動が空気の粘性の影響を受けない、振動振幅の大きな共振器を得ることができる。
また、本実施の形態では、振動子のねじり振動の基本モードを使用しているが、その高次のモードや、たわみ振動や縦振動などの他の振動モードを用いてもよい。
また、本実施の形態では、梁型振動子の断面は三角形としたが、台形、四角形、その他多角形断面を用いてもよい。
【００７６】
（実施の形態２）
次に本発明の実施の形態２について説明する。
本実施の形態では、実施の形態１で示した図１のねじり共振器を用いるが、振動子のばね性の変調が、静電力による励振力の周波数の２倍であることを特長とする。
【００７７】
図９は、本実施の形態における共振器の構成を示すものである。角周波数ωを有する入力信号は分配器で分配され、一方は振動子１と電極２との間で静電力による励振力を与える。分配されたもう一方は、変調部４内でまず乗算回路で角周波数２ωに変換され、２ωの成分のみフィルタにより選択され、移相器を経てレーザ光強度を変調する。乗算回路は２乗特性を有する非線形素子で構成することができる。レーザ光は振動子１に照射され、梁の長さ方向に引張応力を有する振動子１のばね性を角周波数２ωで変調する。
【００７８】
このとき、振動子の運動方程式は、（数４）であらわされる。ｍを振動子の等価質量、ｋを無変調時の振動子の等価ばね定数としたとき、無変調時の共振角周波数はω０＝（ｋ／ｍ）１／２である。Ｑは振動子のＱ値、ｘは振動子の変位、Ｆｓｉｎωｔは外力、すな
わち、この場合、角周波数ωの交流信号による静電力をあらわしている。角周波数２ωで変調を受けたばね定数は、無変調時のばね定数ｋ＝ｍω０２からの増分であるｍω０２εｃｏｓ（２ωｔ＋φ）とあらわされる。ここでεは変調の深さをあらわす。
【数４】
2007235937.tif 000006
【００７９】
図１のねじり共振器において、Ｆ＝１０−９Ｎ、ε＝０．００１、Ｑ＝１０００とした
ときの振動子の速度スペクトルを測定し、縦軸を振動速度の最大値（振幅）、横軸を位相φとした関係曲線を図１０（ａ）に示す。ばね性に変調を加え、その位相φを変化させたときのスペクトルを図１０(ｂ)に示した。“Ｌｉｎｅａｒ”で示された無変調時のスペクトルは、周波数１．５９１５５ＧＨｚでピーク値１０ｍ／ｓとなる。変調をかけるとピークの周波数は、無変調時の共振周波数の近傍で変化する。φ＝９０°のときは、“Ｌｉｎｅａｒ”に比べて速度が低下するが、−２２５°（＝＋１３５°）から４５°の範囲においては、速度は増加する。振動速度の増加は振動振幅の増加を意味する。従って、この範囲の位相φとなるように、図９の変調部４内の移相器の移相量を調整することで、パラメトリック共振の効果を得ることができる。また変調の深さεを適度に決定することにより、図１０（ｂ）のスペクトルに非線形はなく、スペクトルのジャンプ現象のようなフィルタには不適な現象は発生しない。また外部励振力Ｆがゼロのときには振動もゼロとなる。すなわち制御不能な発振状態には陥らないことを特長としている。
【００８０】
位相φを−９０°（＝＋２７０°）近傍にすることで、１．５９１５５ＧＨｚに共振ピークを有し、このときφの設定のみで実現可能な最大のピーク値を得ることができる。その値は約２０ｍ／ｓであり、無変調時のピーク１０ｍ／ｓの値の２倍の値を得ることができる。
図１０（ｂ）及び（ｃ）は励振力の周波数に対する振動速度およびその位相関係を示している。通常のばね−質量系では、励振力に対して振動速度の位相は共振点で０となるのが、パラメトリック励振を用いると、図１０（ｂ）のピーク周波数と図１０（ｃ）の縦軸０とのゼロ交点周波数は概して一致しない。ただし、位相φを−９０°の近傍にしたときは、図１０（ｂ）のピーク周波数１．５９１５５ＧＨｚと図１０（ｃ）のゼロ交点周波数とが一致する。すなわち見かけ上パラメトリック励振を用いていない無変調の共振器と同等と扱うことができる。またこの共振周波数は、無変調時の共振周波数と一致する。従って、共振周波数を、無変調時の振動子の共振周波数で設計することができる。
【００８１】
位相φを−９０°とし、入力交流信号の角周波数ωが共振角周波数ω０のときの、励振力と振動による位置とばね性の増分の関係を図１１の（ａ）（ｂ）（ｃ）に示す。振動子の位置が原点を通過するときに励振力は最大となる。また、振動子の位置が原点から遠ざかり、最大変位に達する中間でばね性の緩和が最大となり、また振動子の位置が最大変位から原点に近づく中間でばね性が最も増大する。
これは振動子の位置が原点から遠ざかるときは、ばね性を緩めて慣性力で振動変位を増大させ、原点に近づくときは、ばね性を強めて振動速度を加速させる効果を振動子に与えていることを意味する。この効果により共振時において振動振幅は、ばね性を無変調とした場合に比べて、より大きな値となる。
【００８２】
なお、ばね性の変調は必ずしも三角関数ではなく、図１１（ｄ）のように間歇的にばね性の変調が行われてもよい。
【００８３】
次に本実施の形態の別の実施の形態を示す。図１２は図９の構成において、変調部４内の移相器を遅延回路に置き換えたものである。角周波数ωを有する入力信号は分配器で分配され、一方は振動子１と電極２との間に静電力による励振力を与える。分配されたもう一方は、変調部４内でまず乗算回路で角周波数２ωに変換され、適宜２ωの成分のみフィルタにより選択され、遅延回路を経てレーザ光強度を変調する。レーザ光は振動子１に照射され、梁の長さ方向に引張応力を有する振動子１のばね性を角周波数２ωで変調する。
【００８４】
このとき、振動子の運動方程式は、（数５）であらわされる。ｍを振動子の等価質量、ｋを無変調時の振動子の等価ばね定数としたとき、無変調時の共振角周波数はω０＝（ｋ／ｍ）１／２である。Ｑは振動子のＱ値、ｘは振動子の変位、Ｆｓｉｎωｔは外力、すなわちこの場合、角周波数ωの交流信号による静電力をあらわしている。角周波数２ωで変調を受けたばね定数は、無変調時のばね定数ｋ＝ｍω０２からの増分であるｍω０２εｃｏｓ２ω（ｔ―Ｄ）とあらわされる。ここでεは変調の深さを、Ｄは遅延時間をあらわす。
【数５】
2007235937.tif 000007
【００８５】
図１のねじり共振器において、Ｆ＝１０−９Ｎ、ε＝０．０００６５、Ｑ＝２０００としたときの振動子の速度スペクトルを測定し、縦軸を振動速度の最大値（振幅）、横軸を位相φとした関係曲線を図１３（ａ）に示す。図１３（ｂ）および（ｃ）は、励振力に対する振動速度およびその位相関係を示している。図１３（ｂ）内の“Ｌｉｎｅａｒ”で示された無変調時のスペクトルは、周波数１．５９１５５ＧＨｚにピーク値２０ｍ／ｓとなる。ばね性に変調を加え、遅延時間（遅延量Ｄ）を変化させたときのスペクトルを図示した。変調をかけると、ピークの周波数は無変調時の共振周波数の近傍で変化する。Ｄが２π／（２ω０）の０．７５倍、すなわちＤ＝２３６ｐｓのときは、“Ｌｉｎｅａｒ”に比べて速度が低下するが、０倍から０．６２５倍の範囲（０〜１９６ｐｓ）、または０．８７５倍から１倍の範囲（２７５ｐｓ〜）の範囲においては、速度は増加する。振動速度の増加は振動振幅の増加を意味する。従って、この範囲の遅延時間Ｄとなるように、図１２の変調部４内の遅延回路の遅延時間を調整することで、パラメトリック共振の効果を得ることができる。また変調の深さεを適度に決定することにより、図１３（ａ）のスペクトルに非線形はなく、スペクトルのジャンプ現象のようなフィルタには不適な現象は発生しない。また外部励振力Ｆがゼロのときには振動もゼロとなる。すなわち制御不能な発振状態には陥らない。
【００８６】
遅延時間Ｄを２π／（２ω０）の０．２５倍近傍、すなわち７９ｐｓ近傍にすることで、１．５９１５５ＧＨｚに共振ピークを有し、このときＤの設定のみで実現可能な最大のピーク値を得ることができる。その値は約６０ｍ／ｓであり、無変調時のピーク２０ｍ／ｓの値の約３倍の値を得ることができる。
【００８７】
通常のばね−質量系では励振力に対して振動速度の位相は共振点で０となるのが、パラメトリック励振を用いると、図１３（ｂ）のピーク周波数と図１３（ｃ）の縦軸０とのゼロ交点周波数は概して一致しない。ただし、遅延時間Ｄを７９ｐｓの近傍にしたときは、図１３（ｂ）のピーク周波数１．５９１５５ＧＨｚと図１３（ｃ）のゼロ交点周波数とが一致する。すなわち見かけ上パラメトリック励振を用いていない無変調の共振器と同等と扱うことができる。また、この共振周波数は、無変調時の共振周波数と一致する。従って、共振周波数を、無変調時の振動子の共振周波数で設計することができる。
【００８８】
また、非接触でばね性に変調を与えるための手段としては、光に限定されるものではなく、非接触加熱、など適宜選択可能である。図１４は、ジュール熱を振動子に与えて、ばね性の変調を与える共振器である。変調部４内で生成された角周波数２ωの信号を、再び振動子１と電極２間の容量に流し込む。これにより振動子１は、角周波数２ωでジュール熱による温度の変調を受け、ばね性が変調を受ける。励振力とばね性の変調との関係は、すでに図１１に示したような位相関係となるように、変調部４内の移相器の移相量を調整すれば、振動を増幅することができる。また、ジュール熱によるものに限定されることなく、高周波加熱、ペルチェ素子を用いた温度制御など適宜選択可能である。
【産業上の利用可能性】
【００８９】
本発明にかかる共振器は、半導体プロセスで作製可能な極めて微細な構造体が、主に静電力で励振されるようにしたものであって、振動子のばね性の変調の度合い及び位相を特定することで、スペクトルに非線形ジャンプなどのフィルタ動作として好ましくない特性を避け、かつ有効に静電力による励振のみでは得られない振動振幅を得ることができる共振器を実現するものであるため、携帯型無線端末に積載される高密度に集積化された高周波フィルタ回路等として有用である。また、音声帯域や超音波帯域におけるスペクトル解析や、機械共振による質量分析等の医療用や環境分野等の用途にも適用できる。
【図面の簡単な説明】
【００９０】
【図１】本発明の実施の形態１におけるねじり共振器の斜視図および断面図
【図２】本発明の実施の形態１におけるねじり共振器における電気機械変換の説明図
【図３】（ａ）本発明の実施の形態１における、光によるばね性の変調を行う共振器の説明図  （ｂ）本発明の実施の形態１における、光によるばね性の変調を行う別の共振器の説明図
【図４】（ａ）本発明の実施の形態１における、振動子の速度スペクトルを測定し、縦軸を振動速度の最大値（振幅）、横軸を位相φとした関係曲線を示す図  （ｂ）本発明の実施の形態１における、励振力の周波数と振動子の振動速度を示す図  （ｃ）本発明の実施の形態１における、励振力の周波数と振動子の位相関係を示す図
【図５】共振時の、励振力と振動による位置とばね性の増分の関係を示す図
【図６】（ａ）本発明の実施の形態１における、共振器構造を示す説明図  （ｂ）（ｃ）本発明の実施の形態１における、振動子の軸方向に光を照射してばね性の変調を行う構造を示す説明図
【図７】本発明の実施の形態１における、振動子の側面から光を照射してばね性の変調を行う構造を示す説明図
【図８】本発明の実施の形態１におけるねじり共振器の製造方法の説明図
【図９】本発明の実施の形態２における、光によるばね性の変調を行う共振器の説明図
【図１０】（ａ）本発明の実施の形態２における、励振力の周波数と振動子の振動速度のスペクトルを測定し、縦軸を振動速度の最大値（振幅）、横軸を位相φとした関係曲線を示す図  （ｂ）本発明の実施の形態２における、励振力の周波数と振動子の振動速度を示す図  （ｃ）本発明の実施の形態２における、励振力の周波数と振動子の振動速度の位相関係を示す図
【図１１】本発明の実施の形態２における、共振点での励振力と振動位置とばね性の増分の位相関係を示す図
【図１２】本発明の実施の形態２における、光によるばね性の変調を行う他の共振器の説明図
【図１３】（ａ）本発明の実施の形態２における、励振力の周波数と振動子の振動速度のスペクトルを測定し、縦軸を振動速度の最大値（振幅）、横軸を位相φとした関係曲線を示す図  （ｂ）本発明の実施の形態２における、励振力の周波数と振動子の振動速度を示す図（ｃ）本発明の実施の形態２における、励振力の周波数と振動子の振動速度の位相関係を示す図
【図１４】本発明の実施の形態２における、ジュール熱によりばね性の変調を行う共振器の説明図
【図１５】従来の機械共振器を用いたフィルタを示す概略図
【図１６】従来例における、機械共振器の寸法と高周波化の関係を示す特性図
【符号の説明】
【００９１】
１  振動子
２  電極
３  絶縁体
４  変調部
３０  シリコン基板
３１  酸化シリコン層
３２  単結晶シリコン層
３３  窒化シリコン層（マスクパターン）
３５  酸化シリコン層
３６  犠牲層（酸化シリコン膜）
３６Ｓ  酸化シリコン膜
１０１、１０２  両持ち梁型振動子
１０３  結合梁
１０４  入力線路
１０５  出力線路
１９１  同一周波数を有する長さＬと厚さｈの関係を示す直線
１９２  同じたわみやすさの指標を有する長さＬと厚さｈの関係を示す直線
２００  光源（レーザダイオード）
２０１  交流電源
２０２  ミラー
【図１】
2007235937.tif 000008
【図２】
2007235937.tif 000009
【図３】
2007235937.tif 000010
【図４】
2007235937.tif 000011
【図５】
2007235937.tif 000012
【図６】
2007235937.tif 000013
【図７】
2007235937.tif 000014
【図８】
2007235937.tif 000015
【図９】
2007235937.tif 000016
【図１０】
2007235937.tif 000017
【図１１】
2007235937.tif 000018
【図１２】
2007235937.tif 000019
【図１３】
2007235937.tif 000020
【図１４】
2007235937.tif 000021
【図１５】
2007235937.tif 000022
【図１６】
2007235937.tif 000023